(57)【特許請求の範囲】
【請求項１】
第１基板と、
第１基板の上面に所定の形成されるアドレス電極と、
前記第１基板の上面に形成されてアドレス電極を埋め込む第１誘電体層と、
前記第１基板と結合されて放電空間を形成する透明な第２基板と、
前記第２基板の内面に形成され前記アドレス電極と所定角度をなす第１、２電極が一組になった複数の維持電極と、
前記維持電極が形成された第２基板に形成されて前記維持電極を埋め込む第２誘電体層と、
前記維持電極をなす第１、２電極間に形成される少なくとも一つ以上の電界集中部と、
前記第１、２基板間に設けられて放電空間を区画する隔壁と、
を有し、
前記電界集中部が維持電極をなす第１、２電極間にグルーブが形成され、
前記グルーブは第１、２電極間に複数列で形成される、
ことを特徴とする、
プラズマ表示装置。
【請求項２】
前記グルーブが第１、２電極間で不連続的に形成されることを特徴とする請求項１に記載のプラズマ表示装置。
【請求項３】
前記不連続的に形成されたグルーブが隔壁により区画された放電領域内に位置することを特徴とする請求項２に記載のプラズマ表示装置。
【請求項４】
前記放電空間に注入される放電ガス中Xeの含量が０.１%乃至１０%であることを特徴とする請求項１または請求項２の何れかに記載のプラズマ表示装置。
【請求項５】
第１基板と、
第１基板の上面に所定の形成されるアドレス電極と、
前記第１基板の上面に形成されてアドレス電極を埋め込む第１誘電体層と、
前記第１基板と結合されて放電空間を形成する透明な第２基板と、
前記第２基板の内面に形成され前記アドレス電極と所定角度をなす第１、２電極が一組になった複数の維持電極と、
前記維持電極が形成された第２基板に形成されて前記維持電極を埋め込む第２誘電体層と、
前記維持電極をなす第１、２電極間に形成される少なくとも一つ以上の電界集中部と、
前記第１、２基板間に設けられて放電空間を区画する隔壁と、
を有し、
前記電界集中部が第１、２電極の上面に形成された第２誘電体層に貫通孔が形成されることを特徴とする、
プラズマ表示装置。
【請求項６】
前記電界集中部は第１、２電極と対応する誘電体層の少なくとも一側に第１、２電極の長手方向にグルーブが形成されることを特徴とする請求項５に記載のプラズマ表示装置。
【請求項７】
前記グルーブが不連続的に形成されることを特徴とする請求項５に記載のプラズマ表示装置。
【請求項８】
前記第２誘電体層に保護膜が形成されることを特徴とする請求項５乃至請求項７の何れかに記載のプラズマ表示装置。
【請求項９】
前記第２誘電体層と貫通孔の内面及び貫通孔により露出された第１、２電極の上面に保護膜が形成されることを特徴とする請求項５に記載のプラズマ表示装置。
【請求項１０】
透明な基板を準備する第１ステップと、
前記基板の上面に第１、２電極が一組になった複数の維持電極を形成する第２ステップと、
前記維持電極が形成された基板の上面に誘電体層を形成する第３ステップと、
前記誘電体層を所定の温度で加熱して軟化させる第４ステップと、
軟化した誘電体層の上面に、第１電極または第２電極の上に形成しようとするグルーブと同じパターンの突起が形成された金型を誘電体層に加圧して軟化した誘電体層にグルーブを形成する第５ステップと、
を含むプラズマ表示装置の電界集中部を有する誘電体層製造方法。
【発明の詳細な説明】
【０００１】
【発明の属する技術分野】
本発明はプラズマ表示装置に係り、より詳細には維持電極が埋め込まれる誘電体層が改善されたプラズマ表示装置及びその製造方法に関する。
【０００２】
【従来の技術】
一般的な放電装置は少なくとも一対の電極を具備し、この電極に電圧が印加される時放電を起こす。このような放電装置の例として、蛍光灯のような放電灯、気体レーザー発生装置及びプラズマ表示装置を挙げられる。
【０００３】
プラズマ表示装置はその表示容量、輝度、コントラスト及び視野角の表示性能に優れて、陰極線管の性能に近接した平板型表示パネルとして指目されている。
【０００４】
このようなプラズマ表示装置は、その動作原理に従って直流プラズマ表示パネルと交流プラズマ表示パネルとに大別され、その電極の構成形態に従って対向放電型及び面放電型に大別できる。
【０００５】
図１にはこのような放電型プラズマ表示装置中面放電型プラズマ表示装置の一例を示した。
【０００６】
示したようにプラズマ表示装置は基板１０と、前記基板１０上に形成されたアドレス電極１１と、このアドレス電極１１が形成された基板１０上に形成された誘電体層１２と、この誘電体層１２上に形成されて放電距離を維持しセル間の電気的光学的クロストークを防止する隔壁１３と、前記隔壁１３が形成された基板１０と結合し前記アドレス電極１１と直交するように所定パターンの維持電極１４、１５が下面に形成された前面板１６を具備して構成される。前記隔壁１３により区画された放電空間内の少なくとも一側には蛍光体層１７が形成され、前記前面板１６の下面には電極が埋め込まれる誘電体層１８と保護膜１９が形成される。前記放電空間にはNe、Xeなどが混合された放電ガスが注入される。
【０００７】
このような構成のプラズマ表示パネルにおいて、電極の駆動方法はアドレス放電のための駆動と維持放電のための駆動とに分れる。アドレス放電は前記アドレス電極１１と一つの維持電極１４との間の電位差(８０V−(−１７０V)＝２５０V)によって起こり、この際壁電荷が形成される。維持放電は壁電荷が形成された放電空間に位置する維持電極１４、１５間の電位差(１４０V−０V＝１４０V)によって起こる。この維持放電が実際に映像を示すための放電で主放電になる。
【０００８】
このように、維持電極１４、１５間に印加される電位差によって放電が起こる維持放電は、時間が経つにつれ放電が消滅される。これは既存の面放電型ACプラズマ表示パネルの電極構造で前面板１６の維持電極１４、１５間の間隔が８０〜１００μm程度になっているので、維持放電駆動時の放電開始電圧も一般的に１６０V以上になるべきだからである。
【０００９】
このように放電開始電圧が大きくなれば電力の消耗が多くなると同時にその駆動回路の定格が大きくなる。また隣接電極に誘導電圧を起こしてクロストークの発生の原因になる。これを解消するための方案として放電開始電圧を低めるために維持電極１４、１５間の間隔を狭めれば静電容量が過度に大きくなる。
【００１０】
そして放電効率を高めるために放電ガス中のXeの含量を増やす方案を考えられるが 、この場合放電開始電圧が高くなるのでXeの含量を高めるのに限界がある。
【００１１】
前記のような問題点を解決するための従来の面放電型プラズマ表示素子が米国特許５,７４２,１２２号に開示されている。この面放電型プラズマ表示素子は図２に示したように第１基板２１の透明電極２２の上面に形成された誘電体層２３の厚さT１が透明電極２２上にこれと並んで形成されたバス電極２４と対応する誘電体層２３の厚さT２より薄く形成される。
【００１２】
前記面放電型プラズマ表示装置は、バス電極上の無効放電を除去することによって発光効率を上げ消費電力を低められ、画素間のクロストークを防止できる。
【００１３】
【発明が解決しようとする課題】
しかし、前記誘電体層２３は透明電極の上面で均一な厚さを有するので放電開始電圧を低めるのに限界がある。
【００１４】
本発明は上記事実に鑑み成されたもので、維持電極間またはこれと対応する部位で所定位置に電界を集中させて放電開始電圧を低められるプラズマ表示装置及びその電界集中部を有する誘電体層の形成方法を提供することを目的とする。
【００１５】
本発明は、さらに放電ガスのXe含量を増やして発光効率を向上させうるプラズマ表示装置及びその電界集中部を有する誘電体層形成方法を提供することを目的とする。
【００１６】
【課題を解決するための手段】
上記目的を達成するために本発明のプラズマ表示装置は、第１基板と、第１基板の上面に所定の形成されるアドレス電極と、前記第１基板の上面に形成されてアドレス電極を埋め込む第１誘電体層と、前記第１基板と結合されて放電空間を形成する透明な第２基板と、前記第２基板の内面に形成され前記アドレス電極と所定角度をなす第１、２電極が一組になった複数の維持電極と、前記維持電極が形成された第２基板に形成されて前記維持電極を埋め込む第２誘電体層と、前記維持電極をなす第１、２電極間に形成される少なくとも一つ以上の電界集中部と、前記第１、２基板間に設けられて放電空間を区画する隔壁と、を有する。
【００１７】
本発明において、前記電界集中部は維持電極をなす第１、２電極間に連続、あるいは不連続的にグルーブが形成されてなる。
【００１８】
また、前記目的を達成するために本発明は、第１基板と、第１基板の上面に所定の形成されるアドレス電極と、前記第１基板の上面に形成されてアドレス電極を埋め込む第１誘電体層と、前記第１基板と結合されて放電空間を形成する透明な第２基板と、前記第２基板の内面に形成され前記アドレス電極と所定角度をなす第１、２電極が一組になった複数の維持電極と、前記維持電極が形成された第２基板に形成されて前記維持電極を埋め込む第２誘電体層と、前記維持電極をなす第１、２電極間に形成される少なくとも一つ以上の電界集中部と、前記第１、２基板間に設けられて放電空間を区画する隔壁とを有する。
【００１９】
前記目的を達成するためのプラズマ表示装置の電界集中部を有する誘電体層の形成方法は、透明な基板を準備するステップと、準備された基板の上面に第１、２電極が一組になった複数の維持電極を形成するステップと、前記維持電極が形成された基板の上面に下部誘電体層を形成するステップと、前記下部誘電体層の上面に第１、２電極間と対応する部位に連続または不連続的にグルーブが形成されるように上部誘電体層を印刷するステップと、前記上下部誘電体層を焼成して硬化させるステップとを含む。
【００２０】
【発明の実施の形態】
以下、添付した図面を参照して本発明の望ましい実施例を詳細に説明する。
【００２１】
図３には本発明に係るプラズマ表示装置の一実施例を示した。
【００２２】
図面を参照すれば、本発明に係るプラズマ表示装置は第１基板３１と、第１基板３１の上面に所定のパターンにアドレス電極３２と、この第１基板上に形成されて前記アドレス電極３２を埋め込む第１誘電体層３３とを含む。前記アドレス電極３２は所定の幅を有して相互に並んだストライプ状に形成される。
【００２３】
そして前記第１基板３１は透明な第２基板４１と結合されて放電空間を形成する。前記第１基板３１と対向する第２基板４１の内面には前記アドレス電極３２と直交する方向に第１、２電極４２a、４２bが一組になった複数個の維持電極４２が形成される。前記維持電極４２は前記アドレス電極３２と必ず直交する必要はなく、前記第１、２電極４２a、４２b間の間隔は放電開始電圧または画素を勘案して調整できる。そして前記第１、２電極４２a、４２bは透明なITOより成り、第１、２電極４２a、４２ｂにはライン抵抗を減らすためにバス電極４２c、４２dが各々第１、２電極に沿って形成される。前記バス電極４２c、４２dは銀、銀合金、アルミニウムのような金属より成り、前記第１、２電極４２a、４２dの幅より非常に狭く形成される。
【００２４】
前記第２基板４１の内面には第２誘電体層４３が形成されて維持電極４２を埋め込む。上記のように第１誘電体層と第２誘電体層が各々形成された第１、２基板３１、４１間には放電空間を区画する隔壁４５が形成されるが、前記隔壁４５は前記アドレス電極３２間の第１誘電体層３３の上面に所定の幅と高さで形成される。前記隔壁４５はアドレス電極３２と並んだ方向で形成され、前記隔壁４５により区画された放電空間の内面には蛍光膜４６が形成される。前記隔壁４５は前述した実施例に限定されるものではなく放電空間を画素の配列パターンで区画できる構造であればどちらでも可能である。
【００２５】
上記のように隔壁４５により区画された放電空間の内部には放電ガスが注入される。この放電ガスはNeとXeを含む。
【００２６】
そして前記第１、２電極４２a、４２b間には放電開始電圧を低めるための電界集中部５０が形成される。前記電界集中部５０は第１、２電極４２a、４２b間の第２誘電体層４３に所定深度のグルーブ５１が少なくても一つ以上形成されてなされる。前記グルーブ５１は連続的に形成できて、図４に示したように不連続的にも形成できる。前記グルーブ５１が不連続的に形成された場合には前記グルーブ５１を隔壁４５により区画された放電空間の内部に位置させることが望ましい。前記のようにグルーブ５１が形成された第２誘電体層４３の上面にはイオンから第２誘電体層４３を保護するための保護膜４４が形成される。この保護膜４４はMgOより成る。
【００２７】
そして電界集中部５０の他の実施例としては、図５に示したように前記第１、２電極４２a、４２b間に第２基板４１の内面が露出されるようグルーブ５２を形成する場合もある。この実施例の場合第２誘電体層４３の上面に形成された保護膜４４を第２誘電体層４３の表面とグルーブ５２により露出された第２基板の上面に形成させることが望ましい。前記グルーブ５２を複数列に形成してもよい。
【００２８】
図６には他の実施例として上述とは異なる電界集中部が採用されたプラズマ表示装置を示した。ここで前記実施例と同じ符号は同じ構成要素を示す。図示したように前記電界集中部６０は第１、２電極４２a、４２bの上面に形成される。この電界集中部６０は第１、２電極４２a、４２bと対応する第２誘電体層４３の少なくとも一側に所定深度のグルーブ６１が形成される。前記グルーブ６１は連続または不連続的に形成されうる。上記のようにグルーブ６１が形成された誘電体層の上面に保護膜４４が形成される。
【００２９】
また前記電界集中部の他の実施例としては、図７に示したように第１、２電極４２a、４２bと対応する第２誘電体層４３の少なくとも一側に第１または第２電極４２a、４２bが露出されるように少なくとも一つ以上の貫通孔６２が形成されてなされる。この貫通孔６２はその形状が円形または楕円形に成りうる。上記のように電界集中部が貫通孔６２より成る場合前記貫通孔６２は隔壁により区画された放電空間内に位置されるべきである。そして第２誘電体層４３の上面と貫通孔６２により露出された第１、２電極４２a、４２bの上面には図８に示したように保護膜４４が形成される。
【００３０】
前述したように構成された本発明に係るプラズマ表示装置の作用を以下で説明する。
【００３１】
アドレス電極３２と維持電極４２をなす第１、２電極４２a、４２b中の一電極に所定のパルス電圧が印加されると、これら間にアドレス放電が起きて放電空間の内面に壁電荷が形成される。この時に発生した壁電荷は前記第１、２電極４２a、４２b間の誘電体層または第１、２電極４２ａ、４２ｂ上部の第２誘電体層４３に形成されたグルーブ５１内部に充填される。
【００３２】
この状態で維持電極４２をなす第１、２電極４２a、４２bに電圧が印加されると、これらの間で維持放電が起きる。この維持放電のための放電開始電圧は前記グルーブ５１とこれに充電された電荷により低めることができる。
【００３３】
上記をより詳細に説明すれば第１、２電極４２a、４２bの間隔が狭くなれば静電容量が大きくなり、第１、２電極４２a、４２bの間隔が過度に広くなれば初期放電開始電圧が高くなるが、図９及び図１０に示したようにグルーブ５１が形成されて第１、２電極４２a、４２b間の第２誘電体層４３をなくしたり薄くすれば第１、２電極４２ａ，４２ｂ間の電界がグルーブで集中して、荷電粒子とガスで充填されたグルーブ５１から放電が始まって静電容量を増やせずに放電開始電圧を低めることができる。前記第１、２電極４２a、４２bの間隔を狭めない状態でこれらの間にグルーブ５１が形成されれば第１、２電極４２a、４２bの間隔を狭める効果があって放電開始電圧を低められる。特に前記放電空間に高効率放電のためにXeが０.１％乃至１０%含まれた放電ガスが注入されて放電開始電圧が高くなることを前記第１、２電極４２ａ，４２ｂ間に形成されるグルーブ５１の構造として補償できる。前述したような維持放電で発生する紫外線は蛍光体を励起して蛍光体を発光させることによって画像を形成する。
【００３４】
そして図１１に示したように第１、２電極４１ａ，４２ｂの上部にグルーブ６１、６２が形成された場合にも前述したような同じ作用効果を得られることはもちろんである。
【００３５】
本発明に係るプラズマ表示装置の製造方法は、電界集中部が形成される第２誘電体層を形成するための段階を含むが、図１２には電界集中部が形成された誘電体層を形成する方法を示した。
【００３６】
図示したように透明な基板４１を準備する第１段階と、前記基板の上面に第１、２電極が一組になる複数の維持電極４２を形成する第２段階(図１２A)と、前記維持電極が形成された基板の上面に下部誘電体層４３aを形成する第３段階(図１２B)と下部誘電体層４３aの上面に前記第１、２電極間または第１、２電極の上面にグルーブが形成されるように上部誘電体層４３bを印刷する第４段階(図１２C)を含む。そして前記上下部誘電体層の形成段階が完了した後前記上下部誘電体層４３a、４３bを硬化させる第５段階を含む。前記のような方法で誘電体層に電界集中部を形成する方法は電界集中部のグルーブを微細なパターンで形成できる。
【００３７】
図１３には電界集中部が形成された誘電体層を形成する方法の他の実施例を示した。
【００３８】
図示したように透明な基板４１を準備する第１段階と、前記基板の上面に第１、２電極が一組になった複数の維持電極４２を形成する第２段階(図１３A)と、前記維持電極が形成された基板４１の上面に誘電体層を形成する第３段階(図１３B)と、前記誘電体層４３を所定の温度で加熱して軟化させる第４段階(図１３C)と、軟化した誘電体層の上面に形成しようとするグルーブと同じパターンの突起７１が形成された金型７０を誘電体層に加圧して軟化した誘電体層にグルーブを形成する第５段階とを含む。この方法は軟化した誘電体層に金型を加圧してグルーブを形成するので大量生産に適している。
【００３９】
【発明の効果】
以上説明したように、本発明に係るプラズマ表示装置のその製造方法は第１、２電極間の誘電体層に電界集中部を形成することによって維持放電に従う放電開始電圧を低められ、結果的に表示装置の消費電力を省ける。
【００４０】
本発明は図面に示した実施例を参考として説明されたが、これは例示的なことにすぎなく、当該分野で通常的な知識を有する者であれば、これより多様な変形及び実施例が可能だという点を理解するはずである。従って、本発明の真の技術的な保護範囲は特許請求の範囲の技術的な思想によって決まるべきである。
【図面の簡単な説明】
【図１】  従来のプラズマ表示装置の一部切除分離斜視図である。
【図２】  従来のプラズマ表示装置の他の例を示す分離斜視図である。
【図３】  本発明に係るプラズマ表示装置の分離斜視図である。
【図４】  第２基板に形成された誘電体層に電界集中部が形成された状態を示す斜視図である。
【図５】  第２基板に形成された誘電体層に他の実施例の電界集中部が形成された状態を示す斜視図である。
【図６】  本発明に係るプラズマ表示装置の他の実施例を示す分離斜視図である。
【図７】  第２基板に形成された誘電体層に電界集中部が形成された状態を示す斜視図である。
【図８】  第２基板に形成された誘電体層に電界集中部が形成された状態を示す断面図である。
【図９】  本発明に係るプラズマ表示装置の作用を説明するための断面図である。
【図１０】  本発明に係るプラズマ表示装置の作用を説明するための断面図である。
【図１１】  本発明に係るプラズマ表示装置の作用を説明するための断面図である。
【図１２】  本発明に係るプラズマ表示装置の電界集中部を有する誘電体層の形成方法を示す断面図である。
【図１３】  本発明に係るプラズマ表示装置の電界集中部を有する誘電体層の形成方法の他の実施例を示す断面図である。
【符号の説明】
３１  第１基板
３２  アドレス電極
３３  第１誘電体層
４１  第２基板
４２  維持電極
４２a  第１電極
４２b  第２電極
４２c  バス電極
４２d  バス電極
４３  第２誘電体層
４５  隔壁
４６  蛍光膜
５０  電界集中部
５１  グルーブ
【図１】
0003878389.tif 000002
【図２】
0003878389.tif 000003
【図３】
0003878389.tif 000004
【図４】
0003878389.tif 000005
【図５】
0003878389.tif 000006
【図６】
0003878389.tif 000007
【図７】
0003878389.tif 000008
【図８】
0003878389.tif 000009
【図９】
0003878389.tif 000010
【図１０】
0003878389.tif 000011
【図１１】
0003878389.tif 000012
【図１２】
0003878389.tif 000013
【図１３】
0003878389.tif 000014